(57)【要約】【課題】歩行中に携帯用電気・電子機器に供給する電源を確保することを課題とする。【解決手段】人間が歩行する際は、左右それぞれの脚が交互に前に出されることにより前進する。つまり人間の歩行運動を側面から見た場合、両脚が交差運動を繰り返すことにより歩行前進している。この歩行による交差運動で最も運動量変化の大きい臑から踵の部分、両脚内側に磁石と、運動による磁束密度変化を捉える電磁ピックアップ・コイルを装着し、両脚の交差運動を直接電磁誘導変換し起電力を発生させることにより課題を解決する。【選択図】　図１
0003099932.tif 000002
【実用新案登録請求の範囲】
【請求項１】
人間または動物の歩行またはそれに類似した運動により生ずる肢体の交差運動を、肢体に装着した永久磁石、電磁ピックアップ・コイルを組み合わせることにより直接電磁誘導変換して発電することを特徴とした発電装置。
【請求項２】
人間または動物の歩行またはそれに類似した運動により生ずる肢体の交差運動を電磁誘導変換するために用いる永久磁石、電磁ピックアップ・コイルを装着しやすいように靴などの履物やレッグウォーマなどの用具と組み合わせて発電することを特徴とした発電装置。
【考案の詳細な説明】
【０００１】
【考案の属する技術分野】この考案は靴などの履物やレッグウォーマなど足に装着する用具に組み込んだ、あるいは組み合わせた発電装置に関する技術分野に属する。
【０００２】
【従来の技術】携帯電話、ＰＨＳ、携帯無線機、携帯医療機器、ワイアレスマイク、懐中電灯、携帯ラジオ、携帯テレビ、携帯ＤＶＤプレイヤー、ノート型パソコン、ＣＤ・ＭＤプレーヤー、携帯ＧＰＳ航法機器、ヘッドフォンステレオ、電卓および、その他の携帯用電気・電子機器においては、その電源として電池が多用されている。電池には、電力を放出後再使用出来ない一次電池、充電することにより再使用可能な二次電池がある。また消費電力が比較的小さい機器については、太陽光や電灯等の光を利用し、光エネルギーを電気に変換する光電池も使用されている。
【０００３】
【考案が解決しようとする課題】しかし、一次、二次電池を使用した携帯用電気・電子機器は使用中に電池容量を使い切ってしまった場合は、電池の交換または二次電池の場合、充電をしない限り再び使用することはできない。また光電池を使用した携帯用電気・電子機器は夜間や悪天候、そしてトンネル内や洞窟内では発電のために必要な光エネルギーを得ることができないため使用できない問題がある。
【０００４】また一次電池および二次電池はこのような問題があるため、交換用の電池の入手や充電用の電源が確保できない場合は携帯用電気・電子機器が使用できなくなる。また光電池の場合でも夜間や悪天候で十分な光エネルギーが確保できない場合、一次、二次電池同様に携帯用電気・電子機器が使用できなくなる。とくに電池や電源の確保が困難な、緊急時、災害地域、山岳、砂漠、島嶼地域および海上などの場所や地域で使用される携帯用電気・電子機器でこのような電池および電源そして十分な光エネルギーが確保できない問題が発生すると、例として携帯ＧＰＳ航法機器や携帯医療機および携帯通信機などの使用不能かつ非常通信ができない状態に陥り、これら携帯用電気・電子機器利用者の生命に関わる極めて重大な問題を引き起こしかねない。
【０００５】この考案は、このような従来技術の問題点の解決策として考案されたものであり、歩行移動中などの電池や電源の確保が困難または不可能な場所、夜間や悪天候など、十分な光エネルギーのない場所、停電時や緊急・非常時などにおいても、携帯用電気・電子機器を確実に使用することができる発電装置の提供を目的とする。
【０００６】
【課題を解決するための手段】上記目的を達成するために、この考案の発電装置は靴などの履物やレッグウォーマ等の足に装着するものと組み合わせることを特徴とする。すなわち、この考案の発電装置と組み合わせた履物を履いた人または動物が歩行またはそれに類似した運動をしたときに発電されるものである。また発電された電力は二次電池や蓄電器に蓄電した上で、ズボン等の衣服に固定した配線を介して携帯用電気・電子機器に接続して使用する。
【０００７】これにより一次、二次電池の入手や充電用商用電源のない場所、そして光電池に用いる光エネルギーが十分でない場所、加えて、災害による緊急・非常時などにおいても、携帯用電気・電子機器を確実に使用することができる。従って、電池切れを考慮しての交換用の電池を準備したり、充電し直したりという作業も不要となる。
【０００８】
【考案の実施の形態】歩行などの運動時に最も運動量変化の大きい踵から臑の内側部分の両脚に電磁誘導現象による発電を行うために永久磁石と電磁ピックアップ・コイルを装着する。またこれらの発電用の部品が装着しやすいように靴などの履物またはレッグウォーマなどの用具と組み合わせる。これにより、歩行運動中に両脚が、それぞれすれ違う運動、つまり両脚に装着された永久磁石と電磁ピックアップが足の交差運動により磁束密度変化を繰り返すことにより発電される。なお発電された電力はズボン等の衣服に固定した配線を介して、必要に応じて整流素子を通してから二次電池や蓄電器に一旦蓄電し、携帯用電気・電子機器に供給される。
【０００９】
【実施例】実施例について図面を参照して説明すると、図１は、この考案を利用したブーツの概略構造図である。１はブーツと一体化した永久磁石、２は電磁ピックアップ・コイル、３は集電のための接続端子である。
【００１０】図２は、この考案の電気回路を示す概略回路図である。
【００１１】
【考案の効果】この考案の履物やレッグウォーマなどと組み合わせた発電機は上記のような構造であることから、この履物やレッグウォーマを装着して普通に歩行する限り、常に発電することが可能であり、この間、携帯用の電気・電子機器の使用は常に可能であり、また歩行を停止しても歩行中の発電により蓄電した電力により、これら機器の使用時間を大幅に延長できる。
【図面の簡単な説明】
【図１】この考案を利用したブーツの概略構造図である。
【図２】この考案の電気回路を示す概略回路図である。
【符号の説明】
１　永久磁石
２　電磁ピックアップ・コイル
３　接続端子
４　整流素子
５　二次電池
【図１】
0003099932.tif 000003
【図２】
0003099932.tif 000004
【手続補正書】
【提出日】平成15年3月26日(2003.3.26)
【手続補正１】
【補正対象書類名】図面
【補正対象項目名】図１
【補正方法】変更
【補正の内容】
【図１】
0003099932.tif 000005
【手続補正書】
【提出日】平成15年3月26日(2003.3.26)
【手続補正１】
【補正対象書類名】明細書
【補正対象項目名】実用新案登録請求の範囲
【補正方法】変更
【補正の内容】
【実用新案登録請求の範囲】
【請求項１】
ブーツなどの履物の装着したときに両脚がそれぞれ対面する部分の側面に電磁ピックアップ・コイルと永久磁石をそれぞれ１列、さらにつま先にかけての部分に交互に配し、人間または動物の歩行またはそれに類似した運動により生ずる肢体の交差運動を、これらの永久磁石、電磁ピックアップ・コイルにより直接電磁誘導変換して発電する機能を有したブーツ型の履物。
【請求項２】
請求項１に記述の組み合わせで発電した電力を、携帯電子・電気機器に使用しやすいように、ブーツ型の履物の上端に接続端子を設けたブーツ型の履物。